(57)【要約】  本発明の一実施形態は、米国電気電子学会（ＩＥＥＥ）ＳＴＤ８０２．１６ｅ−２００５またはＩＥＥＥ８０２．１６ｍにより動作し、論理およびトランスポート／物理チャネリゼーションを利用するトランシーバを備える装置を提供する。さらに、仮想広帯域ＲＦチャネルコンセプト（ＯＦＤＭＡおよび非ＯＦＤＭＡ無線システムの連続帯域および非連続帯域をサポートする）もここに記載されており、これにより全ての無線通信システムおよび規格が利益を被ることができる。【選択図】図１
2010521840.tif 000002
【特許請求の範囲】
【請求項１】
米国電気電子学会（ＩＥＥＥ）ＳＴＤ８０２．１６ｅ−２００５またはＩＥＥＥ８０２．１６ｍにより動作し、論理およびトランスポート／物理チャネリゼーションを利用するトランシーバを備える装置。
【請求項２】
前記論理およびトランスポート／物理チャネルは、さらに、前記チャネルの特徴に応じて専用チャネルまたは共通チャネルへと分類される、請求項１に記載の装置。
【請求項３】
前記専用チャネルおよび前記共通チャネルは、さらに、トラフィック／アクセスチャネルおよび制御／シグナリングチャネルへと分類される、請求項２に記載の装置。
【請求項４】
新たなＭＡＣ機能であるＰＩＣＣＨによりＤＬ−ＳＰＩＣＨおよびＵＬ−ＳＰＩＣＨを制御することで専用制御およびシグナリングが行われる、請求項３に記載の装置。
【請求項５】
モビリティおよび／またはアンテナコンフィギュレーションに基づいて、第二パイロットの密度が制御される、請求項４に記載の装置。
【請求項６】
専用制御およびシグナリングチャネルのマッピングは、前記制御／シグナリングおよびデータトラフィックに対して定義された２つの別個の物理リソースブロックを利用することで行われる、請求項３に記載の装置。
【請求項７】
前記制御／シグナリングのブロックのサイズは、データリソースのブロックより小さい、請求項６に記載の装置。
【請求項８】
前記トランスポート／物理チャネルの、ＩＥＥＥ８０２．１６ｍの物理リソースへのマッピングは、エンベデッド専用制御およびシグナリングにより行われる、請求項３に記載の装置。
【請求項９】
前記トランスポート／物理チャネルの、ＩＥＥＥ８０２．１６ｍの物理リソースへのマッピングは、データトラフィックと専用制御およびシグナリングとで別個の物理リソースブロックにより行われる、請求項３に記載の装置。
【請求項１０】
論理およびトランスポート／物理チャネリゼーションを利用し、複数のトランスポートチャネル群を利用して非連続帯域を効率的にサポートすることでプロトコルスタックのＬ２以上の上位レイヤへの影響を最小限に抑えるトランシーバを備える、装置。
【請求項１１】
前記論理およびトランスポート／物理チャネルは、さらに、前記チャネルの特徴に応じて専用チャネルまたは共通チャネルへと分類される、請求項１０に記載の装置。
【請求項１２】
前記専用チャネルおよび前記共通チャネルは、さらに、トラフィック／アクセスチャネルおよび制御／シグナリングチャネルへと分類される、請求項１１に記載の装置。
【請求項１３】
新たなＭＡＣ機能であるＰＩＣＣＨによりＤＬ−ＳＰＩＣＨおよびＵＬ−ＳＰＩＣＨを制御することで専用制御およびシグナリングが行われる、請求項１２に記載の装置。
【請求項１４】
モビリティおよびアンテナコンフィギュレーションに基づいて、第二パイロットの密度が制御される、請求項１３に記載の装置。
【請求項１５】
前記専用制御およびシグナリングチャネルのマッピングは、前記制御／シグナリングおよびデータトラフィックに対して定義された２つの別個の物理リソースブロックを利用することで行われる、請求項１４に記載の装置。
【請求項１６】
前記制御／シグナリングのブロックのサイズは、データリソースのブロックより小さい、請求項１５に記載の装置。
【請求項１７】
前記トランシーバは、ＩＥＥＥ８０２．１６ｍ規格により動作する、請求項１０に記載の装置。
【請求項１８】
トランスポート／物理チャネルの、ＩＥＥＥ８０２．１６ｍの物理リソースへのマッピングは、エンベデッド専用制御およびシグナリングにより行われる、請求項１７に記載の装置。
【請求項１９】
トランスポート／物理チャネルの、ＩＥＥＥ８０２．１６ｍの物理リソースへのマッピングは、データトラフィックと専用制御およびシグナリングとで別個の物理リソースブロックにより行われる、請求項１７に記載の装置。
【請求項２０】
米国電気電子学会（ＩＥＥＥ）ＳＴＤ８０２．１６ｅ−２００５またはＩＥＥＥ８０２．１６ｍにより動作し、論理およびトランスポート／物理チャネリゼーションを利用するようトランシーバを適合させる段階を備える方法。
【請求項２１】
前記論理およびトランスポート／物理チャネルを、さらに、前記チャネルの特徴に応じて専用チャネルまたは共通チャネルへと分類する段階をさらに備える、請求項２０に記載の方法。
【請求項２２】
前記専用チャネルおよび前記共通チャネルを、さらに、トラフィック／アクセスチャネルおよび制御／シグナリングチャネルへと分類する段階をさらに備える、請求項２１に記載の方法。
【請求項２３】
新たなＭＡＣ機能であるＰＩＣＣＨによりＤＬ−ＳＰＩＣＨおよびＵＬ−ＳＰＩＣＨを制御することで専用制御およびシグナリングを行う段階をさらに備える、請求項２２に記載の方法。
【請求項２４】
モビリティおよび／またはアンテナコンフィギュレーションに基づいて、第二パイロットの密度を制御する段階をさらに備える、請求項２３に記載の方法。
【請求項２５】
前記制御／シグナリングおよびデータトラフィックに対して定義された２つの別個の物理リソースブロックを利用することで、専用制御およびシグナリングチャネルのマッピングを行う段階をさらに備える、請求項２２に記載の方法。
【請求項２６】
前記トランスポート／物理チャネルの、ＩＥＥＥ８０２．１６ｍの物理リソースへのマッピングを、エンベデッド専用制御およびシグナリングにより行う段階をさらに備える、請求項２２に記載の方法。
【請求項２７】
前記トランスポート／物理チャネルの、ＩＥＥＥ８０２．１６ｍの物理リソースへのマッピングを、データトラフィックと専用制御およびシグナリングとで別個の物理リソースブロックにより行う段階をさらに備える、請求項２２に記載の方法。
【請求項２８】
論理およびトランスポート／物理チャネリゼーションを利用し、複数のトランスポートチャネル群を利用して非連続帯域を効率的にサポートすることでプロトコルスタックのＬ２以上の上位レイヤへの影響を最小限に抑えるようトランシーバを適合させる段階を備える方法。
【請求項２９】
前記論理およびトランスポート／物理チャネルを、さらに、前記チャネルの特徴に応じて専用チャネルまたは共通チャネルへと分類する段階をさらに備える、請求項２８に記載の方法。
【請求項３０】
前記専用チャネルおよび前記共通チャネルを、さらに、トラフィック／アクセスチャネルおよび制御／シグナリングチャネルへと分類する段階をさらに備える、請求項２９に記載の方法。
【請求項３１】
新たなＭＡＣ機能であるＰＩＣＣＨによりＤＬ−ＳＰＩＣＨおよびＵＬ−ＳＰＩＣＨを制御することで専用制御およびシグナリングを行う段階をさらに備える、請求項３０に記載の方法。
【請求項３２】
モビリティおよびアンテナコンフィギュレーションに基づいて、第二パイロットの密度を制御する段階をさらに備える、請求項３１に記載の方法。
【請求項３３】
前記専用制御およびシグナリングチャネルのマッピングを、前記制御／シグナリングおよびデータトラフィックに対して定義された２つの別個の物理リソースブロックを利用することで行う段階をさらに備える、請求項３２に記載の方法。
【請求項３４】
命令を提供する機械アクセス可能な媒体であって、前記命令はアクセスされると機械に、
米国電気電子学会（ＩＥＥＥ）ＳＴＤ８０２．１６ｅ−２００５またはＩＥＥＥ８０２．１６ｍにより動作し、論理およびトランスポート／物理チャネリゼーションを利用するようトランシーバを適合させることを含む処理を行わせる、機械アクセス可能な媒体。
【請求項３５】
前記命令はさらに前記機械に、
前記論理およびトランスポート／物理チャネルを、さらに、前記チャネルの特徴に応じて専用チャネルまたは共通チャネルへと分類することを含む処理を行わせる、請求項３４に記載の機械アクセス可能な媒体。
【請求項３６】
前記命令はさらに前記機械に、
前記専用チャネルおよび前記共通チャネルを、さらに、トラフィック／アクセスチャネルおよび制御／シグナリングチャネルへと分類することを含む処理を行わせる、請求項３５に記載の機械アクセス可能な媒体。
【請求項３７】
前記命令はさらに前記機械に、
ＰＩＣＣＨによりＤＬ−ＳＰＩＣＨおよびＵＬ−ＳＰＩＣＨを制御することで専用制御およびシグナリングを行うことを含む処理を行わせる、請求項３６に記載の機械アクセス可能な媒体。
【請求項３８】
前記命令はさらに前記機械に、
モビリティおよび／またはアンテナコンフィギュレーションに基づいて、第二パイロットの密度を制御することを含む処理を行わせる、請求項３７に記載の機械アクセス可能な媒体。
【請求項３９】
前記命令はさらに前記機械に、
前記制御／シグナリングおよびデータトラフィックに対して定義された１つまたは２つの別種類の物理リソースブロックを利用することで、専用制御およびシグナリングチャネルのマッピングを行うことを含む処理を行わせる、請求項３６に記載の機械アクセス可能な媒体。
【請求項４０】
前記命令はさらに前記機械に、
前記トランスポート／物理チャネルの、ＩＥＥＥ８０２．１６ｍの物理リソースへのマッピングを、エンベデッド専用制御およびシグナリングにより行うことを含む処理を行わせる、請求項３６に記載の機械アクセス可能な媒体。
【請求項４１】
前記命令はさらに前記機械に、
前記トランスポート／物理チャネルの、ＩＥＥＥ８０２．１６ｍの物理リソースへのマッピングを、データトラフィックと専用制御およびシグナリングとで別個の物理リソースブロックにより行うことを含む処理を行わせる、請求項３６に記載の機械アクセス可能な媒体。
【請求項４２】
命令を提供する機械アクセス可能な媒体であって、前記命令はアクセスされると機械に、
論理およびトランスポート／物理チャネリゼーションを利用し、複数のトランスポートチャネル群を利用して非連続帯域を効率的にサポートすることでプロトコルスタックのＬ２以上の上位レイヤへの影響を最小限に抑えるようトランシーバを適合させることを含む処理を行わせる、機械アクセス可能な媒体。
【請求項４３】
前記命令はさらに前記機械に、
前記論理およびトランスポート／物理チャネルを、さらに、前記チャネルの特徴に応じて専用チャネルまたは共通チャネルへと分類することを含む処理を行わせる、請求項４２に記載の機械アクセス可能な媒体。
【請求項４４】
前記命令はさらに前記機械に、
前記専用チャネルおよび前記共通チャネルを、さらに、トラフィック／アクセスチャネルおよび制御／シグナリングチャネルへと分類することを含む処理を行わせる、請求項４３に記載の機械アクセス可能な媒体。
【発明の詳細な説明】
【技術分野】
【０００１】
米国電気電子学会（ＩＥＥＥ）８０２．１６ｅ−２００５規格は、ＩＥＥＥ８０２．１６−２００４に対する補正である。この補正により、モビリティをサポートするのに必要な特性および属性がＩＥＥＥ８０２．１６−２００４に加わった。ＩＥＥＥ８０２．１６ｅのメディアアクセスコントロール（ＭＡＣ）およびその前のバージョンの構造は、元々はモバイル用途に対する設計または最適化を目指してはいなかったケーブルモデム規格であるＤＯＣＳＩＳ（Data-Over-Cable Service Interface Specification）を基にしている。ＩＥＥＥ８０２．１６ｅ−２００５のＭＡＣアーキテクチャは非常に柔軟ではあるが、メッセージに基づく制御／シグナリングプロトコル性能のせいで非効率であり、オーバヘッドおよび制限がある。さらに、仕様ではＭＡＣおよび無線リンク制御（ＲＬＣ）機能およびサービスがうまく構成されておらず、非常に煩雑である。
【０００２】
故に、ＩＥＥＥ  ＳＴＤ８０２．１６ｅ−２００５のＭＡＣのオーバヘッドを減らし、効率を上げるべく、且つ、ＩＥＥＥ８０２．１６ｍベースのシステムの発展に寄与すべく、ＭＡＣの構造の向上が強く望まれている。仮想広帯域ＲＦチャネルコンセプト（ＯＦＤＭＡおよび非ＯＦＤＭＡ無線システムの連続帯域および非連続帯域をサポートする）もここに記載されており、これにより全ての無線通信システムおよび規格が利益を被ることができる。
【図面の簡単な説明】
【０００３】
明細書の結びで、本発明の主題を特に指摘且つ明確に請求する。しかし、本発明は、その成り立ちおよび動作方法、さらには、目的、特徴、および利点全てにおいて、以下の詳細な記載を、添付図面とともに読むことでより良く理解されよう。
【図１】本発明のＩＥＥＥ  ＳＴＤ８０２．１６ｅ−２００５ベースの実施形態の物理チャネルへの論理チャネルのマッピングである。
【図２】本発明のＩＥＥＥ８０２．１６ｍベースの実施形態のトランスポート／物理チャネルへの論理チャネルのマッピングである。
【図３】本発明のＩＥＥＥ  ＳＴＤ８０２．１６ｅ−２００５およびＩＥＥＥ８０２．１６ｍベースの実施形態について提案するダウンリンクレイヤ２を示す。
【図４】本発明のＩＥＥＥ  ＳＴＤ８０２．１６ｅ−２００５および８０２．１６ｍベースの実施形態について提案するアップリンクレイヤ２を示す。
【図５】本発明のＩＥＥＥ  ＳＴＤ８０２．１６ｅ−２００５ベースの実施形態の物理チャネルの物理リソースへのマッピングを示す。
【図６Ａ】本発明のＩＥＥＥ  ＳＴＤ８０２．１６ｍベースの実施形態のトランスポート／物理チャネルの物理リソースへのマッピングを、データトラフィックおよび専用制御・シグナリングについて別個の物理リソースブロックを利用して行う様子を示す。
【図６Ｂ】本発明のＩＥＥＥ  ＳＴＤ８０２．１６ｍベースの実施形態のトランスポート／物理チャネルの物理リソースへのマッピングを、データトラフィックおよび専用制御・シグナリングについて別個の物理リソースブロックを利用して行う様子を示す。
【図７】本発明の８０２．１６ｍベースの実施形態におけるトランスポート／物理チャネルの物理リソースへのマッピングを、エンベデッド専用制御およびシグナリングを利用して行う様子を示す。
【図８】本発明のＩＥＥＥ  ＳＴＤ８０２．１６ｅ−２００５ベースの実施形態における物理チャネルの物理リソースへのマッピングを示す。
【図９】本発明の一実施形態を、一般的な論理およびトランスポートチャネルコンセプトを利用して示す。  説明の簡略化および明瞭化目的から、図面に示す部材は、必ずしも実寸に比例して描かれていない場合がある。例えば、部材のなかには他の部材よりも大きく描いて明瞭化を図っているものがある。さらに、適切な場合には、図面間で参照番号を繰り返すことで、対応する、または類似した部材であることを示している。本発明の様々な実施形態／実装例は、異なる命名法を利用したり、ここで定義されている論理／トランスポート／物理チャネルの一部または全体を利用したりすることもできる点は留意されたい。
【発明を実施するための形態】
【０００４】
以下の詳細な記載においては、多数の特定の詳細を述べて、本発明の完全な理解を促している。しかし、本発明の当業者であれば、本発明がこれら詳細なく実施することもできることを理解しよう。また、公知の方法、手順、コンポーネントおよび回路は詳細には示さないことにより、本発明を曖昧にしないよう配慮している箇所もある。
【０００５】
本発明の実施形態は、様々な用途において利用が可能である。本発明の幾らかの実施形態は、例えばトランスミッタ、レシーバ、トランシーバ、トランスミッタ‐レシーバ、無線通信局、無線通信デバイス、無線アクセスポイント（ＡＰ）、モデム、無線モデム、パソコン（ＰＣ）、デスクトップコンピュータ、モバイルコンピュータ、ラップトップコンピュータ、ノートブックコンピュータ、タブレット型コンピュータ、サーバコンピュータ、携帯情報端末（ＰＤＡ）デバイス、ハンドヘルドＰＤＡデバイス、ネットワーク、無線ネットワーク、ローカルエリアネットワーク（ＬＡＮ）、無線ＬＡＮ（ＷＬＡＮ）、メトロポリタンエリアネットワーク（ＭＡＮ）、無線ＭＡＮ（ＷＭＡＮ）、ワイドエリアネットワーク（ＷＡＮ）、または無線ＷＡＮ等の様々なデバイスおよびシステムと組み合わせた利用が可能である。
【０００６】
例えば、「処理（processing）」「演算・コンピューティング（computing）」「計算・算出（calculating）」「決定・判断（determining）」「構築（establishing）」「分析（analyzing）」「チェック（checking）」等の用語を利用した説明は、コンピュータのレジスタおよび／またはメモリ内の物理（例えば電子）量で表されるデータを、コンピュータのレジスタおよび／またはメモリ、または動作および／または処理を行わせる命令を記憶しうる他の情報記憶媒体内の物理量で同様に表される他のデータに操作および／または変換する、コンピュータ、コンピューティングプラットフォーム、コンピューティングシステム、または他の電子コンピューティングデバイスの動作および／または処理のことである場合があるが、本発明の実施形態はこの点に限定はされない。
ここで利用される「複数（plurality）（a plurality）」等の用語は、例えば、「多数」または「２以上」両方を含みうるが、本発明の実施形態はこの点に限定はされない。「複数（plurality）（a plurality）」等の用語は、明細書の至る箇所で利用されて、２以上のコンポーネント、デバイス、部材、部、パラメータ等を表していることがある。例えば、「複数の局」は、２以上の局である場合を含みうる。
【０００７】
マイクロウェーブアクセス（モバイルＷｉＭＡＸ）ＩＥＥＥ  ＳＴＤ８０２．１６の現在のモバイルワールドインターオペラビリティには、論理およびトランスポート／物理チャネリゼーション（logical and transport/physical channelization）というコンセプトがない。また、非連続帯域（仮想広帯域）をサポートするトランスポートチャネル群のコンセプトは、ＩＥＥＥ８０２．１６に存在しないばかりか、ＷＣＤＭＡ、３ＧＰＰ  ＬＴＥ、および３ＧＰＰ２ＡＩＥ等の他のモバイル規格にも存在しない。本発明の幾らかの実施形態は、ＭＡＣ機能を向上させ構築し、且つ、ＩＥＥＥ８０２．１６ｍ／８０２．１６進化規格のレイヤ２(Ｌ２)オーバヘッドを低減させうる、モバイルＷｉＭＡＸフレンドリーな論理およびトランスポート／物理チャネル構造を提供する。さらに、トランスポートチャネル群の複数利用により、非連続帯域を効率的にサポートして、プロトコルスタックのＬ２およびそれより上位のレイヤへの影響を最小限に抑える。本発明は、ＩＥＥＥ８０２．１６ｍ／８０２．１６進化規格に組み込むことを意図していることを理解されたい。
【０００８】
ＷＣＤＭＡ、ｃｄｍａ２０００、またはＧＳＭ等のセルラー規格のＭＡＣ／ＲＬＣレイヤは、現在まで、モバイル用途に特化して設計されてきており、機能およびサービスが無線ベアラ（radio bearer）からトランスポート／物理チャネルへマッピングされるという観点からの定義に合致するよう構築されている。しかし、本発明の幾らかの実施形態に基づいてＩＥＥＥ８０２．１６ｅ進化形（ＩＥＥＥ８０２．１６ｍ）へ論理およびトランスポート／物理チャネル構造を組み込むことにより、以下の利点が生じる。
・ＰＨＹおよびＭＡＣプロトコルの機能に対する良好且つ明晰な洞察が得られる。
・ＭＡＣレイヤが提供する異なるサービスを構成および構築することができる。
・ＭＡＣレイヤが提供する異なる情報トランスポート／管理サービスの分類、理解、およびシミュレーションが簡単になる。
・この種類の情報に基づく物理レイヤが提供するトランスポートチャネルへの様々なＭＡＣサービスのマッピング／多重化が簡単になる。
・様々な８０２．１６ｅ（およびその進化形）ＭＡＣ情報／管理サービスおよび機能を、より単純明瞭なセルラーＭＡＣプロトコルと比較／調和させることができる。
・良好な設計の論理チャネル構造の利用により、さらにＭＡＣおよびＲＬＣレイヤにおける効率向上およびオーバヘッド低減が可能となることが期待される。
・論理およびトランスポート／物理チャネル構造の利用により、帯域の細切れ同士をまとめることで２０ＭＨｚを超えるワイドチャネル帯域幅（wide channel bandwidth）のサポートにおいて重要な非連続送信帯域幅のサポートにおける効率性の促進および複雑性の緩和が可能になる。
【０００９】
なお、論理およびトランスポート／物理チャネルの定義は、現在の規格に影響を及ぼさない。論理およびトランスポート／物理チャネルの既存のおよび進化したＩＥＥＥ  ＳＴＤ８０２．１６ｅ‐２００５規格（ＩＥＥＥ８０２．１６ｍ）へのマッピングを、本発明の実施形態で提供する。
【００１０】
ここでは、ＩＥＥＥ  ＳＴＤ８０２．１６ｅ‐２００５およびＩＥＥＥ８０２．１６ｍ、および将来のブロードバンド無線ラジオアクセス技術向けの、効率的且つ新規な論理およびトランスポート／物理チャネル方式を提供する。本発明の一実施形態は、既存の、および拡張されたシステム向けにトランスポート／物理および論理マッピングを提供する。本発明で記載される非連続帯域のサポートに関するコンセプトは、さらに、他のＯＦＤＭＡおよび非ＯＦＤＭＡセルラーシステムでの利用も可能である。
【００１１】
３ＧＰＰ  ＬＴＥおよびＷＣＤＭＡ等の他のセルラー規格に則り、以下の用語を定義し、本発明にわたって利用する。
論理チャネル：ＭＡＣサブレイヤは、論理チャネルにデータ転送サービスを提供する。一式の種類の論理チャネルを、ＭＡＣレイヤが提供する異なる種類のデータ転送サービスについて定義する。各論理チャネルの種類は、トランスポートされる情報の種類により定義される。つまり、ＭＡＣサブレイヤおよびＲＬＣサブレイヤ間のＳＡＰが、論理チャネルを提供する。論理チャネルは２つの群に分類される。
−  制御／シグナリングメッセージ／情報のトランスポート用の制御／シグナリングチャネル。
−  ユーザデータの転送用トラフィックチャネル。
物理チャネル：単一または多数のユーザに対するデータ／制御／シグナリングをトランスポートするのに利用される物理リソース（時間、周波数、符号、および空間）のマニフェステーション。
シグナリングチャネル：シグナリングチャネルは、ＭＡＣシグナリング情報／メッセージのトランスポートに利用される論理チャネルである。データベアラ、ＡＣＫ／ＮＡＣＫシグナリング等の設定または分解に利用される。
制御チャネル：制御チャネルは、ＭＡＣ制御情報／メッセージのトランスポートに利用される論理チャネルである。データベアラパラメータを制御するのに利用される。
トラフィックチャネル：トラフィックチャネルは、ユニキャスト／マルチキャストデータフロー（ユーザトラフィック）のトランスポートに利用される論理ダウンリンク／アップリンクチャネルである。
アクセスチャネル：アクセスチャネルは、コンテンションおよびポーリングを利用したシステムへの初期アクセスに利用される物理アップリンクチャネルである。
マルチキャストチャネル：マルチキャストデータ／制御／シグナリングをトランスポートするポイントツーマルチポイント物理／論理ダウンリンクチャネルである。
ユニキャストチャネル：セル内の特定のユーザへデータ／制御／シグナリングをトランスポートするポイントツーポイント物理／論理チャネルである。
共有チャネル：ＴＤＭ、ＦＤＭ、ＣＤＭ、ＳＤＭ方式または多数のユーザ間で上述の組み合わせを利用して共有／多重化されるポイントツーポイントまたはポイントツーマルチポイント双方向物理チャネルである。
共通チャネル：ＢＳ網羅領域の全てのユーザへのシグナリング／制御メッセージ／情報を伝達するポイントツーマルチポイント単方向論理チャネルである。ユーザは、共通チャネルを受信するのにＢＳに登録する必要はない（つまり、ＲＲＣ接続が不要である）。
放送チャネル：放送トランスポートチャネルの主要な目的は、ＢＳ網羅領域の全てのユーザに対してあるセルまたはシステム特定情報一式を放送することである。ユーザは、放送チャネルを受信するのにＢＳに登録する必要はない。
専用チャネル：ユーザ特定データ／制御シグナリングメッセージ／情報をトランスポートするポイントツーポイントトランスポート／物理または論理チャネルである。
サービスアクセスポイント（ＳＡＰ）：下位レイヤのサービスが次のより上位のレイヤで利用可能なプロトコルスタックのポイントである。
トランスポートチャネル：物理レイヤおよびＭＡＣサブレイヤ間のＳＡＰがトランスポートチャネルを提供する。トランスポートチャネルは、データのエアインタフェースにおけるトランスポート特性および様式により定義される。専用チャネルおよび共通チャネルという２種類のトランスポートチャネルが存在する。
無線ベアラ：ＲＬＣサブレイヤおよび収束サブレイヤ間のＳＡＰが無線ベアラを提供する。
【００１２】
一般的に、ＯＦＤＭＡ（Orthogonal Frequency-Division Multiple Access）システムでは、送信チャネルと物理チャネルとが同一であり（一対一のマッピング）、これは本発明の幾らかの実施形態で前提とされるが、本発明はこの点に限定はされない。しかし、実質的により広い帯域幅を齎すべく非連続帯または細切れの帯域幅のまとめをサポートするには、トランスポートチャネルを物理チャネル（つまり、異なる物理レイヤおよびそれに対応する物理リソース）に適切にマッピングして、一式の論理チャネルで表される単一のＭＡＣレイヤ（ここではスーパーＭＡＣと称される）を、これらトランスポートチャネルにマッピングできるようにする必要がある。この場合、トランスポートチャネルは物理チャネルと同一ではない。
【００１３】
故に、本発明の実施形態の説明に利用される「トランスポート／物理」の命名法は、トランスポートチャネルと物理チャネルとが同一であり、一対一でマッピングされている場合に利用され、別個のトランスポートおよび物理チャネルマッピングに関する用語は、利用可能な場合に利用される。
【００１４】
上述の定義に基づいて、８０２．１６ｅおよび８０２．１６ｍ規格の既存および将来の機能を適切に記載しうる多くの論理およびトランスポート／物理チャネルを定義する。以下は、頭字語およびその説明を含む。論理およびトランスポート／物理チャネルを定義するには、先ずＭＡＣおよびＲＬＣレイヤの全ての機能およびサービスが特定および分類する必要がある。そして、機能クラスに応じて、無線ベアラをトランスポート／物理チャネルにマッピングする様々なチャネルを定義する。ここに記載するトランスポートチャネルの定義に則れば、現行の８０２．１６ｅ規格はトランスポートチャネルをサポートせず、トランスポートチャネルは物理チャネルと同一である。しかし、次世代規格では、物理チャネルへのマッピングを特定する必要のあるトランスポートチャネルを定義することが可能となる。
頭字語：  定義
ＰＳＣＨ（第一同期チャネル）：これは、全てのフレームの第１のＯＦＤＭシンボルに配置されるレガシープリアンブルであり、タイミング、周波数、およびセルのＩＤ取得に利用される。
ＳＳＣＨ（第二同期チャネル）：新たな端子によりセル選択およびシステム取得を向上させるべく追加されるローバストな補足プリアンブルである。補足プリアンブルの位置は固定されることで（つまり、スーパーフレームの第１フレームの第１サブフレーム）、固定システムタイミングを保証する。スーパーフレーム毎に１回繰り返される。
ＣＯＮＦＩＧ−ＣＨ（コンフィギュレーションチャネル）：この放送チャネルは、セルまたはシステム特定コンフィギュレーション情報一式を含む。現行のＩＥＥＥ  ＳＴＤ８０２．１６ｅ−２００５においては、このチャネルは、ＤＬ／ＵＬ  ＭＡＰに後続するＦＣＨ（ＭＡＰを記載する）およびＤＣＤおよびＵＣＤに対応している。
ＭＡＰ−ＣＨ（メディアアクセスプロトコルチャネル）：この放送論理チャネルは、バースト割り当てされた情報および物理レイヤ制御メッセージを含む（ＩＥ：情報エレメント）ＩＥＥＥ  ＳＴＤ８０２．１６ｅ−２００５マップを表す。
ＣＣＳＣＨ（共通制御およびシグナリングチャネル）：この論理チャネルはＩＥＥＥ  ＳＴＤ８０２．１６ｅ−２００５放送ＣＩＤに対応しており、ＭＡＣレイヤでページング目的等に利用される。
ＭＢＳ−ＰＩＣＨ（マルチキャスト放送パイロットチャネル）：マルチＢＳ  ＭＢＳ  ＳＦＮ処理中の合成を促進する共通パイロットチャネルである。
ＣＰＩＣＨ（共通パイロットチャネル）：専用チャネル割り当てがない期間にシステムとの同期を維持すべく端子が利用する参照信号を含む共通チャネルである。
ＰＩＣＣＨ（パイロット制御チャネル）：基礎リソースブロック内の第二パイロットの密度を制御するコマンドを伝達する専用制御チャネルである（パイロット密度は、モビリティ領域、アンテナコンフィギュレーション等に適合される）。
ＤＬ−ＳＣＨ（ダウンリンク共有チャネル）：ダウンリンクのデータ／制御／シグナリングメッセージ／情報をトランスポートするのに利用される時間、周波数、符号、および／または空間リソースを含む物理チャネルである。
ＵＬ−ＳＣＨ（アップリンク共有チャネル）：アップリンクのデータ／制御／シグナリングメッセージ／情報をトランスポートするのに利用される時間、周波数、符号、および／または空間リソースを含む物理チャネルである。
ＭＢＳ−ＳＣＨ（マルチキャスト放送共有チャネル）：ＭＢＳトラフィックをトランスポートするのに利用されるポイントツーマルチポイントダウンリンク物理チャネルである。
ＤＬ−ＰＰＩＣＨ（ダウンリンク第一パイロットチャネル）：基礎リソースブロック内の第一専用参照信号を含む専用ダウンリンク物理チャネルである。これらパイロットの位置は、所定のパターンで回転させることができる。
ＵＬ−ＰＰＩＣＨ（アップリンク第一パイロットチャネル）：基礎リソースブロック内に第一専用参照信号を含む専用アップリンク物理チャネルである。これらパイロットの位置は、所定のパターンで回転させることができる。
ＤＬ−ＳＰＩＣＨ（ダウンリンク第二パイロットチャネル）：基礎リソースブロック内の第二（補足）専用参照信号を含む専用ダウンリンク物理チャネルである。これらパイロットの位置は、所定のパターンで回転させることができる。追加的なパイロットを利用して、多数のＴＸアンテナおよびより高い運動性能（motilities）をサポートする。
ＵＬ−ＳＰＩＣＨ（アップリンク第二パイロットチャネル）：基礎リソースブロック内の第二（補足）専用参照信号を含む専用アップリンク物理チャネルである。これらパイロットの位置は、所定のパターンで回転させることができる。追加的なパイロットを利用して、多数のＴＸアンテナおよびより高い運動性能（motilities）をサポートすることができる。
ＣＱＩＣＨ（チャネル品質インジケータチャネル）：移動局がチャネル状態情報を報告するための、アップリンク上の専用物理チャネルである。
ＤＬ−ＡＣＫＣＨ（ダウンリンク承認チャネル）：Ｈ−ＡＲＱ  ＡＣＫ／ＮＡＣＫシグナリングをダウンリンクへトランスポートする専用物理チャネルである。
ＵＬ−ＡＣＫＣＨ（アップリンク承認チャネル）：Ｈ−ＡＲＱ  ＡＣＫ／ＮＡＣＫシグナリングをアップリンクへトランスポートする専用物理チャネルである。
ＤＬ−ＴＣＨ（ダウンリンクトラフィックチャネル）：ユーザデータトラフィックをトランスポートする専用ダウンリンク論理チャネルである。ＩＥＥＥ  ＳＴＤ８０２．１６ｅ−２００５ではＤＬデータＣＩＤとして知られている。
ＵＬ−ＴＣＨ（アップリンクトラフィックチャネル）：ユーザデータトラフィックをトランスポートする専用アップリンク論理チャネルである。ＩＥＥＥ  ＳＴＤ８０２．１６ｅ−２００５ではＵＬデータＣＩＤとして知られている。
ＱＡＣＨ（クイックアクセスチャネル）：迅速なシステムリエントリ（コンテンションベースのＢＷ−ＲＥＱ）用のアップリンクコンテンションベースの物理チャネルである。帯域幅要求に利用でき、さらには、トラフィックチャネル割り当て前の低速データ送信にも利用できる可能性がある。
ＭＢＳ−ＴＣＨ（マルチキャストトラフィックチャネル）：ＭＢＳトラフィック（ＭＢＳ  ＣＩＤ）トランスポート用の共通ダウンリンク論理チャネルである。
ＭＢＳ−ＭＡＰ−ＣＨ（マルチキャスト放送ＭＡＰチャネル）：ＭＢＳ  ＭＡＰトランスポート用の共通ダウンリンク論理チャネルである。
ＤＬ−ＤＣＳＣＨ（ダウンリンク専用制御およびシグナリングチャネル）：基礎ＣＩＤとハンドオフおよびＭＳ状態遷移に対するシグナリングを含むシグナリング情報を、特定のユーザに伝達するポイントツーポイント論理チャネルである。
ＵＬ−ＤＣＳＣＨ（アップリンク専用制御およびシグナリングチャネル）：基礎ＣＩＤとシグナリングモビリティ領域とを含む（ドップラー周波数ベースのモビリティ適合参照）シグナリング情報を、特定のユーザに伝達するポイントツーポイント論理チャネルである。
ＰＣＨ（ページングチャネル）：ページングメッセージをユーザに放送するのに利用される論理チャネルである。さらにトラフィックインジケータを含む。
ＰＥＲ−ＲＮＧ−ＣＨ（周期測距チャネル）：周期周波数、時間、および電力を調節すべく移動局が利用する物理コンテンションベースのアップリンクチャネルである。
ＩＮＩ−ＲＮＧ−ＣＨ（初期測距チャネル）：閉ループ時間、周波数、および電力を調節すべく移動局が利用する物理コンテンションベースのアップリンクチャネルである。
【００１５】
上述の定義に基づいて、本発明による論理およびトランスポート／物理チャネルを、以下のように定義および分類することができる（表１参照）。
【表１】
2010521840.tif 000003
【００１６】
故に、各論理およびトランスポート／物理チャネルを、さらに、そのチャネルの特徴により専用または共通チャネルへと分類することができる。各チャネルの共通性質ｖｓ．専用性質は、そのチャネルの機能、および前述の専用および共通チャネルの定義に基づき決定される。
【００１７】
図１および図２を参照すると、１００と２００として概略されているものが、既存の規格および将来の規格（つまりＩＥＥＥ８０２．１６ｍ）に利用可能な論理およびトランスポートチャネル間のマッピングである。図１は、ＩＥＥＥ  ＳＴＤ８０２．１６ｅ−２００５（現行モバイルＷｉＭＡＸ）における論理チャネル１０５の物理チャネル１１０へのマッピングを示す。図２は、ＩＥＥＥ８０２．１６ｍ規格（モバイルＷｉＭＡＸの進化形）における論理チャネル２０５のトランスポート／物理チャネル２１０へのマッピングを示す。論理およびトランスポート／物理チャネル構造という概念は現在のところ存在しておらず、ＩＥＥＥ  ＳＴＤ８０２．１６ｅ−２００５では定義されていない。ＩＥＥＥ８０２．１６ｍおよび将来のモバイルＷｉＭＡＸは、全ての必須のおよびオプションのＩＥＥＥ  ＳＴＤ８０２．１６ｅ−２００５のフィーチャのサブセットと下位互換性を有することが予期されるので、幾らかの（全てでなくてよい）ＩＥＥＥ  ＳＴＤ８０２．１６ｅ−２００５ＭＡＣおよびＲＬＣのサポートが必須である。故に、新たな規格を草案する際には、レガシーシステムおよび端子とのインターオペラビリティおよび下位互換性に影響を及ぼさずに、論理およびトランスポート／物理チャネリゼーション（transport/physical channelization）をレガシーフィーチャにさらに適用することができる。もちろん、新たなチャネリゼーションおよびレイヤ２構造をＩＥＥＥ８０２．１６ｍ規格（ひいては将来のモバイルＷｉＭＡＸ）に適用することができる。
【００１８】
図３および４を参照すると、ＭＡＣ３１５および４１５、ＲＬＣ３１０および４１０、およびＣＳ（収束サブレイヤ）３０５および４０５の様々な機能を研究した結果、データリンクレイヤと総称および通称される階層／機能レイヤ／サービスがネットワークレイヤと物理レイヤとの間に存在することを結論付けられる。他のセルラー規格に則り、および、ＩＥＥＥ  ＳＴＤ８０２．１６ｅ−２００５  ＭＡＣ３１５およびＲＬＣ３１０が提供するサービスの特徴および種類に則り、本発明の一実施形態は、これらレイヤの機能を図３および図４の３００および４００で示すように構成して、他のセルラー規格で長年テストされてきたアーキテクチャに基づきダウンリンク（基地局側）とアップリンク（移動局側）によってサービスの定義を従来よりも明瞭化して、これらサービスの効率を向上させる。具体的には図３は、トランスポート／物理チャネル３２５、論理チャネル３２０および無線ベアラ３１５を有する、ＩＥＥＥ  ＳＴＤ８０２．１６ｅ−２００５およびＩＥＥＥ８０２．１６ｍ向けに提案するダウンリンクレイヤ２構造を示し、図４は、トランスポート／物理チャネル４３０、論理チャネル４２５、および無線ベアラ４２０を有する、本発明の一実施形態のＩＥＥＥ  ＳＴＤ８０２．１６ｅ−２００５およびＩＥＥＥ８０２．１６ｍ用のアップリンクレイヤ２構造を示す。
【００１９】
この構造は、文献に見られる一般的な構造であるが、ＩＥＥＥ  ＳＴＤ８０２．１６ｅ−２００５およびＩＥＥＥ８０２．１６ｍの詳細が追加されており、既存のまたは将来のＩＥＥＥ  ＳＴＤ８０２．１６ｅ−２００５（およびＩＥＥＥ８０２．１６ｍ）ベースのシステムの構造をカスタマイズしたものとなっている。ＩＥＥＥ  ＳＴＤ８０２．１６ｅ−２００５の収束レイヤ（ＣＳ）レイヤは、３ＧＰＰ  ＬＴＥシステムのものと異なり暗号化機能を含まない。
【００２０】
提案する物理チャネルを既存の規格に適用した様子を詳述すべく、物理チャネルのＩＥＥＥ  ＳＴＤ８０２．１６ｅ−２００５の物理リソースへのマッピングを図５の５００に示す。ここで定義する全ての物理チャネルがＩＥＥＥ  ＳＴＤ８０２．１６ｅ―２００５に適用可能ではないことに留意されたい。既存の規格への物理および論理チャネルの適用およびマッピングは、ＩＥＥＥ  ＳＴＤ８０２．１６ｅ―２００５のみを理解およびサポートするレガシーシステムおよび端子とのインターオペラビリティに影響しないことに留意すべきである。
【００２１】
ＩＥＥＥ８０２．１６ｍ規格（開発中）のトランスポート／物理チャネルの物理リソースへのトランスポート／物理チャネルのマッピングを、図６Ａの６００および図６Ｂの６１０、および図７の７００に示す。下位互換性を新たなフレーム構造の利用により維持しつつ、ＩＥＥＥ８０２．１６ｍの新たな物理リソースを定義しようという試みなので、専用制御およびシグナリングという２つの可能性あるオプションが示されている。ＤＬ−ＳＰＩＣＨおよびＵＬ−ＳＰＩＣＨは、新たなＭＡＣ機能であるＰＩＣＣＨにより制御される。第二パイロットの密度は、モビリティ、アンテナコンフィギュレーション（送信アンテナ数）等に基づいて制御される。
【００２２】
ＩＥＥＥ８０２．１６ｍの専用制御およびシグナリングチャネルのマッピングについては２つの方法の利用が提案されている。第１のオプションが図６Ａの６００であり、ここでは、２つの別個の物理リソースブロックが制御／シグナリングおよびデータトラフィックについて定義されている。制御/シグナリングブロックのサイズは、データリソースブロックよりも当然小さい。図６Ａ、図６Ｂおよび７に示されているサイズは例示に過ぎず、本発明の範囲の限定ではないことを理解されたい。本発明は、これらオプションのいずれかを好むことはなく、トランスポート／物理チャネルが実際の物理リソースにマッピングされる様子を示す意図しか持たないことに留意されたい。図６Ｂの６１０は、トランスポート／物理チャネルをＩＥＥＥ８０２．１６ｍの物理リソースへ、エンベデッド専用制御およびシグナリングを利用してマッピングする様子を示す。
【００２３】
モバイルＷｉＭＡＸまたはＩＥＥＥ  ＳＴＤ８０２．１６ｅ‐２００５で現在利用可能な物理リソースブロック（スロット）への幾らかの物理チャネルのマッピングも、図７の７００に示されており、これはＤＬまたはＵＬの順列（permutation）の種類に応じていてよい。本発明の一実施形態で提案される図７の構造の利点は、本発明が構築するヒエラルキーおよび構成（organization）によって、ＩＥＥＥ８０２．１６ｍおよびＷｉＭＡＸのＭＡＣおよびＲＬＣ機能が、最終的には、モバイル適用をサポートする他のセルラー規格と同様に効率的（またはそれ以上に効率的）になるという点である。
【００２４】
図８を参照すると、８００で概略されているのは、これも非連続ＲＦチャネルをサポートする「スーパー」ＭＡＣおよび一般的なトランスポートチャネルコンセプトを提供しうる本発明の一実施形態である。上述の論理およびトランスポートチャネリゼーションコンセプトは、非連続スペクトルのサポートを可能とすべくさらに一般化することができる。
【００２５】
ＢＷ  ＭＨｚ配置に利用可能なスペクトルが幾らかの帯域ＢＷｉからなり、以下の数１が成り立ち、且つスペクトルパーティションがΔｆｉ＝ｆｉ-ｆｉ＋１で分離される場合、このシナリオを、これより上位のレイヤ（つまりＭＡＣ以上）に対する影響を最小限に抑えながらサポートするに効率的な方法の１つに、一群のトランスポートチャネルを定義して、各群を中央周波数／送信帯域幅のセット（ｆｉ，ＢＷｉ）に対応する物理レイヤへマッピングする、という方法がある。
【数１】
2010521840.tif 000004
この場合、このトランスポートチャネル群のみが、（機能が論理チャネルで表される）ＭＡＣレイヤから見えることになる。故に、仮想広帯域システムは、Ｌ２以上の上位レイヤに対する影響を最小限に抑えつつ（理想的には影響をゼロに抑えつつ）、より小さな帯域幅をまとめることで作製される。このシステム処理をより効率的に行うには、以下を基本的前提とする。
・同期および放送チャネルを全てのチャネルで送信する（異なる周波数に割り当てられた（attached）移動局のシステム取得を実現すべく）
・共通制御／シグナリングチャネルは分離可能である（各トランスポートチャネル群に対応して）
・最小チャネル帯域幅は規定されているべきである（ＢＷｍｉｎ）。ここでは最小チャネル帯域幅を５ＭＨｚと想定する。
・システムがサポートする５から１０ＭＨｚの帯域幅機能を有する（本例においての前提）移動局が混在していてよい。
・非連続帯域における処理はＭＳからみるとトランスペアレントである。
・ページングメッセージは、移動局が結び付けられたトランスポートチャネル群により、異なるチャネルへ送られる。
・各トランスポート群に対するＤＬ／ＵＬトラフィックおよび制御チャネルは、以下に示すように異なっている。
【００２６】
図９の９００は、上述のシナリオにおけるトランスポートチャネル群マッピングの一例を示すが、本発明はこの点に限定はされない。放送およびマルチキャストトランスポートチャネルは、トランスポートチャネル群間で同じでも異なっていてもよい。図９は、トランスポートチャネル群を、異なるキャリアに応じて異なる物理レイヤへマッピングする様子を示す。物理リソースの時間領域および周波数領域（さらには空間領域）の分布に応じて、且つ、異なるＲＦキャリア（帯域）にわたり、トランスポートチャネル群の物理チャネルへのマッピングを適切に設定することができる。
【００２７】
本発明の特定の特徴を例示且つ記載してきたが、当業者であれば多くの変形例、代替例、変更例、よび均等物を想到するであろう。故に、添付請求項は、本発明の真の精神に含まれる全ての変形例および変更例を包括することを意図することを理解されたい。
【図１】
2010521840.tif 000005
【図２】
2010521840.tif 000006
【図３】
2010521840.tif 000007
【図４】
2010521840.tif 000008
【図５】
2010521840.tif 000009
【図６Ａ】
2010521840.tif 000010
【図６Ｂ】
2010521840.tif 000011
【図７】
2010521840.tif 000012
【図８】
2010521840.tif 000013
【図９】
2010521840.tif 000014
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
米国電気電子学会（ＩＥＥＥ）ＳＴＤ８０２．１６ｅ−２００５またはＩＥＥＥ８０２．１６ｍにより動作し、論理およびトランスポート／物理チャネリゼーションを利用するトランシーバを備える装置。
【請求項２】
前記論理およびトランスポート／物理チャネルは、さらに、前記チャネルの特徴に応じて専用チャネルまたは共通チャネルへと分類される、請求項１に記載の装置。
【請求項３】
前記専用チャネルおよび前記共通チャネルは、さらに、トラフィック／アクセスチャネルおよび制御／シグナリングチャネルへと分類される、請求項２に記載の装置。
【請求項４】
新たなＭＡＣ機能であるＰＩＣＣＨによりＤＬ−ＳＰＩＣＨおよびＵＬ−ＳＰＩＣＨを制御することで専用制御およびシグナリングが行われる、請求項３に記載の装置。
【請求項５】
モビリティおよび／またはアンテナコンフィギュレーションに基づいて、第二パイロットの密度が制御される、請求項４に記載の装置。
【請求項６】
専用制御およびシグナリングチャネルのマッピングは、前記制御／シグナリングおよびデータトラフィックに対して定義された２つの別個の物理リソースブロックを利用することで行われる、請求項３に記載の装置。
【請求項７】
前記制御／シグナリングのブロックのサイズは、データリソースのブロックより小さい、請求項６に記載の装置。
【請求項８】
前記トランスポート／物理チャネルの、ＩＥＥＥ８０２．１６ｍの物理リソースへのマッピングは、エンベデッド専用制御およびシグナリングにより行われる、請求項３に記載の装置。
【請求項９】
前記トランスポート／物理チャネルの、ＩＥＥＥ８０２．１６ｍの物理リソースへのマッピングは、データトラフィックと専用制御およびシグナリングとで別個の物理リソースブロックにより行われる、請求項３に記載の装置。
【請求項１０】
論理およびトランスポート／物理チャネリゼーションを利用し、複数のトランスポートチャネル群を利用して非連続帯域を効率的にサポートすることでプロトコルスタックのＬ２以上の上位レイヤへの影響を最小限に抑えるトランシーバを備える、装置。
【請求項１１】
前記論理およびトランスポート／物理チャネルは、さらに、前記チャネルの特徴に応じて専用チャネルまたは共通チャネルへと分類される、請求項１０に記載の装置。
【請求項１２】
前記専用チャネルおよび前記共通チャネルは、さらに、トラフィック／アクセスチャネルおよび制御／シグナリングチャネルへと分類される、請求項１１に記載の装置。
【請求項１３】
新たなＭＡＣ機能であるＰＩＣＣＨによりＤＬ−ＳＰＩＣＨおよびＵＬ−ＳＰＩＣＨを制御することで専用制御およびシグナリングが行われる、請求項１２に記載の装置。
【請求項１４】
モビリティおよびアンテナコンフィギュレーションに基づいて、第二パイロットの密度が制御される、請求項１３に記載の装置。
【請求項１５】
前記専用制御およびシグナリングチャネルのマッピングは、前記制御／シグナリングおよびデータトラフィックに対して定義された２つの別個の物理リソースブロックを利用することで行われる、請求項１４に記載の装置。
【請求項１６】
前記制御／シグナリングのブロックのサイズは、データリソースのブロックより小さい、請求項１５に記載の装置。
【請求項１７】
前記トランシーバは、ＩＥＥＥ８０２．１６ｍ規格により動作する、請求項１０に記載の装置。
【請求項１８】
トランスポート／物理チャネルの、ＩＥＥＥ８０２．１６ｍの物理リソースへのマッピングは、エンベデッド専用制御およびシグナリングにより行われる、請求項１７に記載の装置。
【請求項１９】
トランスポート／物理チャネルの、ＩＥＥＥ８０２．１６ｍの物理リソースへのマッピングは、データトラフィックと専用制御およびシグナリングとで別個の物理リソースブロックにより行われる、請求項１７に記載の装置。
【請求項２０】
米国電気電子学会（ＩＥＥＥ）ＳＴＤ８０２．１６ｅ−２００５またはＩＥＥＥ８０２．１６ｍにより動作し、論理およびトランスポート／物理チャネリゼーションを利用するようトランシーバを適合させる段階を備える方法。
【請求項２１】
前記論理およびトランスポート／物理チャネルを、さらに、前記チャネルの特徴に応じて専用チャネルまたは共通チャネルへと分類する段階をさらに備える、請求項２０に記載の方法。
【請求項２２】
前記専用チャネルおよび前記共通チャネルを、さらに、トラフィック／アクセスチャネルおよび制御／シグナリングチャネルへと分類する段階をさらに備える、請求項２１に記載の方法。
【請求項２３】
新たなＭＡＣ機能であるＰＩＣＣＨによりＤＬ−ＳＰＩＣＨおよびＵＬ−ＳＰＩＣＨを制御することで専用制御およびシグナリングを行う段階をさらに備える、請求項２２に記載の方法。
【請求項２４】
モビリティおよび／またはアンテナコンフィギュレーションに基づいて、第二パイロットの密度を制御する段階をさらに備える、請求項２３に記載の方法。
【請求項２５】
前記制御／シグナリングおよびデータトラフィックに対して定義された２つの別個の物理リソースブロックを利用することで、専用制御およびシグナリングチャネルのマッピングを行う段階をさらに備える、請求項２２に記載の方法。
【請求項２６】
前記トランスポート／物理チャネルの、ＩＥＥＥ８０２．１６ｍの物理リソースへのマッピングを、エンベデッド専用制御およびシグナリングにより行う段階をさらに備える、請求項２２に記載の方法。
【請求項２７】
前記トランスポート／物理チャネルの、ＩＥＥＥ８０２．１６ｍの物理リソースへのマッピングを、データトラフィックと専用制御およびシグナリングとで別個の物理リソースブロックにより行う段階をさらに備える、請求項２２に記載の方法。
【請求項２８】
論理およびトランスポート／物理チャネリゼーションを利用し、複数のトランスポートチャネル群を利用して非連続帯域を効率的にサポートすることでプロトコルスタックのＬ２以上の上位レイヤへの影響を最小限に抑えるようトランシーバを適合させる段階を備える方法。
【請求項２９】
前記論理およびトランスポート／物理チャネルを、さらに、前記チャネルの特徴に応じて専用チャネルまたは共通チャネルへと分類する段階をさらに備える、請求項２８に記載の方法。
【請求項３０】
前記専用チャネルおよび前記共通チャネルを、さらに、トラフィック／アクセスチャネルおよび制御／シグナリングチャネルへと分類する段階をさらに備える、請求項２９に記載の方法。
【請求項３１】
新たなＭＡＣ機能であるＰＩＣＣＨによりＤＬ−ＳＰＩＣＨおよびＵＬ−ＳＰＩＣＨを制御することで専用制御およびシグナリングを行う段階をさらに備える、請求項３０に記載の方法。
【請求項３２】
モビリティおよびアンテナコンフィギュレーションに基づいて、第二パイロットの密度を制御する段階をさらに備える、請求項３１に記載の方法。
【請求項３３】
前記専用制御およびシグナリングチャネルのマッピングを、前記制御／シグナリングおよびデータトラフィックに対して定義された２つの別個の物理リソースブロックを利用することで行う段階をさらに備える、請求項３２に記載の方法。
【請求項３４】
コンピュータに、
米国電気電子学会（ＩＥＥＥ）ＳＴＤ８０２．１６ｅ−２００５またはＩＥＥＥ８０２．１６ｍにより動作し、論理およびトランスポート／物理チャネリゼーションを利用するようトランシーバを適合させる手順を実行させるためのプログラム。
【請求項３５】
コンピュータに、
前記論理およびトランスポート／物理チャネルを、さらに、前記チャネルの特徴に応じて専用チャネルまたは共通チャネルへと分類する手段をさらに実行させるための請求項３４に記載のプログラム。
【請求項３６】
コンピュータに、
前記専用チャネルおよび前記共通チャネルを、さらに、トラフィック／アクセスチャネルおよび制御／シグナリングチャネルへと分類する手順をさらに実行させるための請求項３５に記載のプログラム。
【請求項３７】
コンピュータに、
ＰＩＣＣＨによりＤＬ−ＳＰＩＣＨおよびＵＬ−ＳＰＩＣＨを制御することで専用制御およびシグナリングを行う手順をさらに実行させるための請求項３６に記載のプログラム。
【請求項３８】
コンピュータに、
モビリティおよび／またはアンテナコンフィギュレーションに基づいて、第二パイロットの密度を制御する手順をさらに実行させるための請求項３７に記載のプログラム。
【請求項３９】
コンピュータに、
前記制御／シグナリングおよびデータトラフィックに対して定義された１つまたは２つの別種類の物理リソースブロックを利用することで、専用制御およびシグナリングチャネルのマッピングを行う手順をさらに実行させるための請求項３６に記載のプログラム。
【請求項４０】
コンピュータに、
前記トランスポート／物理チャネルの、ＩＥＥＥ８０２．１６ｍの物理リソースへのマッピングを、エンベデッド専用制御およびシグナリングにより行う手順をさらに実行させるための請求項３６に記載のプログラム。
【請求項４１】
コンピュータに、
前記トランスポート／物理チャネルの、ＩＥＥＥ８０２．１６ｍの物理リソースへのマッピングを、データトラフィックと専用制御およびシグナリングとで別個の物理リソースブロックにより行う手順をさらに実行させるための請求項３６に記載のプログラム。
【請求項４２】
コンピュータに、
論理およびトランスポート／物理チャネリゼーションを利用し、複数のトランスポートチャネル群を利用して非連続帯域を効率的にサポートすることでプロトコルスタックのＬ２以上の上位レイヤへの影響を最小限に抑えるようトランシーバを適合させる手順を実行させるためのプログラム。
【請求項４３】
コンピュータに、
前記論理およびトランスポート／物理チャネルを、さらに、前記チャネルの特徴に応じて専用チャネルまたは共通チャネルへと分類する手順をさらに実行させるための請求項４２に記載のプログラム。
【請求項４４】
コンピュータに、
前記専用チャネルおよび前記共通チャネルを、さらに、トラフィック／アクセスチャネルおよび制御／シグナリングチャネルへと分類する手順をさらに実行させるための請求項４３に記載のプログラム。
【国際調査報告】
2010521840.tif 000015
2010521840.tif 000016